(57)【特許請求の範囲】
【請求項１】
少なくとも基材と、粘着剤層と、剥離シートと、を積層してなる粘着シートであって、
前記基材および前記粘着剤層を含んで構成される粘着性積層体が、前記剥離シート上において、被着体に貼付されるための被着体貼付用部分と、前記粘着性積層体の特性を識別するための識別用部分と、に成形加工されてなるとともに、
前記被着体貼付用部分の平面形状における面積を４００ｍｍ2以下の値とし、
前記識別用部分の平面形状を、長方形、略長方形、楕円形、略楕円形、円形、略円形、三角形、略三角形、五角形、略五角形、星形、アルファベットおよび数字からなる群から選択される少なくとも一種とし、
前記被着体貼付用部分と、前記識別用部分とが、同一の前記剥離シート上に平面配置されてなることを特徴とする粘着シート。
【請求項２】
前記被着体貼付用部分の粘着剤層が、部分的に被着体と接触しない非接触部を有することを特徴とする請求項１に記載の粘着シート。
【請求項３】
請求項１または２に記載の粘着シートの製造方法であって、
下記工程（Ｉ）〜（ＩＩ）を含むことを特徴とする粘着シートの製造方法。
（Ｉ）少なくとも基材と、粘着剤層と、剥離シートと、を積層してなる成形加工前の粘着シートを準備する工程
（ＩＩ）前記基材および前記粘着剤層を含んで構成される粘着性積層体を、前記剥離シート上において、被着体に貼付されるための被着体貼付用部分と、前記粘着性積層体の特性を識別するための識別用部分と、に成形加工し、前記被着体貼付用部分の平面形状における面積を４００ｍｍ2以下の値とし、前記識別用部分の平面形状を、長方形、略長方形、楕円形、略楕円形、円形、略円形、三角形、略三角形、五角形、略五角形、星形、アルファベットおよび数字からなる群から選択される少なくとも一種とし、前記被着体貼付用部分と、前記識別用部分とが、同一の前記剥離シート上に平面配置されてなる粘着シートを得る工程
【請求項４】
前記工程（ＩＩ）において、前記成形加工として、前記被着体貼付用部分の平面形状に対応した第１の加工手段と、前記識別用部分の平面形状に対応した第２の加工手段と、を有する打ち抜き加工機を用いて、打ち抜き加工をすることを特徴とする請求項３に記載の粘着シートの製造方法。
【発明の詳細な説明】
【技術分野】
【０００１】
本発明は、粘着シートおよび粘着シートの製造方法に関する。
特に、少なくとも基材と、粘着剤層と、剥離シートと、を積層してなる粘着シート（剥離シート付き粘着シート）であって、基材および粘着剤層を含んで構成される粘着性積層体の形態にかかわらず、粘着性積層体の特性を明確に識別することができる粘着シートおよびその製造方法に関する。
【背景技術】
【０００２】
従来、所定内容を表示するための表示用ラベルや、電気製品の内部等において部品を固定するための固定用テープ、あるいは電気製品の組み立て工程において、部品をごみや傷から保護するための保護フィルム等には、それぞれの用途に適した基材および粘着剤層を積層してなる粘着性積層体が用いられている。【０００３】
このような粘着性積層体には、その用途に応じて様々な形態が存在しており、例えば、極小のものや、切り込み部を有するもの等、多種多様である（例えば、特許文献１）。【０００４】
すなわち、特許文献１には、プリンターハウジングと、このプリンターハウジング内に形成した移送路上に移送されるラベル連続体に印字する印字部にプラテンローラーを有し、さらに、このラベル連続体の位置を検出する検出部と、この検出部および印字部を制御する制御部と、を有し、プリンターハウジングのラベル排出口とプラテンローラーとの間隔を、印字可能なラベルサイズとしての最小寸法の制限となる移送方向の最小ラベル印字領域とし、ラベル連続体は、帯状の台紙と、この台紙上に仮着するとともに最小ラベル印字領域のピッチを有する複数枚の極小ラベルと、を有する極小ラベル連続体であり、極小ラベルに印字するための極小ラベル連続体の印字方法が開示されている。より具体的には、最小ラベル印字領域の一単位内に所定枚数だけ配置可能な極小ラベルについて、この一単位内の最小ラベル領域に極小ラベルそれぞれのサイズに合わせて幅方向にスリットを切り込むことにより、それぞれの極小ラベルを形成したラベル配置領域を画成するとともに、これら所定枚数の極小ラベルへの印字内容をそれぞれの極小ラベルのラベル配置領域に供給して、極小ラベルにそれぞれ印字し、さらに最少ラベル印字領域の一単位内におけるラベル配置領域の数より少ない枚数の極小ラベルについては、最小ラベル印字領域内において先頭に位置する極小ラベルから順次印字することを特徴とする極小ラベル連続体の印字方法が開示されている。
【先行技術文献】
【特許文献】
【０００５】
【特許文献１】特許第４７６９１０９号公報（特許請求の範囲）
【発明の概要】
【発明が解決しようとする課題】
【０００６】
しかしながら、特許文献１に記載の極小ラベル連続体の印字方法により得られる極小ラベルは、極小ラベルとしての外観は同一または類似であるが、用途により粘着力等の特性が異なる複数種のラベルが存在する場合には、これらを明確に識別することが困難になる場合があった。
このため、種々のラベルを種々の被着体に貼付する作業現場において、作業者が特性の異なるラベルを混同しやすくなるという問題がみられた。
また、特許文献１に記載の極小ラベルは、実際に混同が生じてしまった場合に、粘着力等の特性を測定して識別しようとしても、ラベルが極小であることから、容易かつ正確に特性を測定することが困難であり、結局、事後的な識別も困難になるという問題が見られた。【０００７】
したがって、粘着性積層体の形態にかかわらず、粘着性積層体の特性を明確に識別できる技術が求められていた。【０００８】
そこで、本発明者らは、以上のような事情に鑑み、鋭意努力したところ、基材および粘着剤層を含んで構成される粘着性積層体を、剥離シート上において、被着体に貼付されるための被着体貼付用部分と、粘着性積層体の特性を識別するための識別用部分と、に成形加工し、かつ、被着体貼付用部分と、識別用部分とを同一の剥離シート上に平面配置することにより、上述した問題を解決できることを見出し、本発明を完成させたものである。
すなわち、本発明の目的は、基材および粘着剤層を含んで構成される粘着性積層体（被着体貼付用部分）の形態にかかわらず、粘着性積層体の特性を明確に識別することができる粘着シートおよびその製造方法を提供することにある。
【課題を解決するための手段】
【０００９】
本発明によれば、少なくとも基材と、粘着剤層と、剥離シートと、を積層してなる粘着シートであって、基材および粘着剤層を含んで構成される粘着性積層体が、剥離シート上において、被着体に貼付されるための被着体貼付用部分と、粘着性積層体の特性を識別するための識別用部分と、に成形加工されてなるとともに、被着体貼付用部分の平面形状における面積を４００ｍｍ2以下の値とし、識別用部分の平面形状を、長方形、略長方形、楕円形、略楕円形、円形、略円形、三角形、略三角形、五角形、略五角形、星形、アルファベットおよび数字からなる群から選択される少なくとも一種とし、被着体貼付用部分と、識別用部分とが、同一の剥離シート上に平面配置されてなることを特徴とする粘着シートが提供され、上述した問題を解決することができる。
すなわち、本発明の粘着シートであれば、粘着性積層体を、被着体貼付用部分と、識別用部分とに分けて成形加工していることから、被着体貼付用部分の平面形状における面積を４００ｍｍ2以下の値とした、被着体貼付用部分の平面形状からでは識別が困難な複数種の粘着シートを、明確に識別することができる。
また、本発明の粘着シートであれば、識別用部分の平面形状を、長方形、略長方形、楕円形、略楕円形、円形、略円形、三角形、略三角形、五角形、略五角形、星形、アルファベットおよび数字からなる群から選択される少なくとも一種とすることで、識別用部分を用いて、より明確に識別することができる。
なお、着色や印字等によっても識別は可能であるが、その場合、別途、着色や印字等を実施する工程が必要になり、コスト的な問題が生じる。
また、特に、リードタイムの短い粘着シートの技術分野ではこれらの工程を実施することにより時間的な問題も生じることになる。
この点、本発明の粘着シートであれば、被着体貼付用部分を成形するのと同時に識別用部分を成形することができるので、このような問題を解決することができる。
【００１０】
また、本発明の粘着シートを構成するにあたり、被着体貼付用部分の粘着剤層が、部分的に被着体と接触しない非接触部を有することが好ましい。
このように構成することにより、被着体貼付用部分を用いての特性測定が特に困難となり、粘着性積層体の特性を識別するための識別用部分が、特に必要となる。
【００１１】
また、本発明の別の態様は、上述した粘着シートの製造方法であって、下記工程（Ｉ）
〜（ＩＩ）を含むことを特徴とする粘着シートの製造方法である。
（Ｉ）少なくとも基材と、粘着剤層と、剥離シートと、を積層してなる成形加工前の粘着シートを準備する工程
（ＩＩ）基材および粘着剤層を含んで構成される粘着性積層体を、剥離シート上において、被着体に貼付されるための被着体貼付用部分と、粘着性積層体の特性を識別するための識別用部分と、に成形加工し、被着体貼付用部分の平面形状における面積を４００ｍｍ2以下の値とし、識別用部分の平面形状を、長方形、略長方形、楕円形、略楕円形、円形、略円形、三角形、略三角形、五角形、略五角形、星形、アルファベットおよび数字からなる群から選択される少なくとも一種とし、被着体貼付用部分と、識別用部分とが、同一の剥離シート上に平面配置されてなる粘着シートを得る工程
すなわち、本発明の粘着シートの製造方法であれば、基材および粘着剤層を含んで構成される粘着性積層体を、剥離シート上において、被着体に貼付されるための被着体貼付用部分と、粘着性積層体の特性を識別ための識別用部分と、に成形加工し、かつ、識別用部分の平面形状を、長方形、略長方形、楕円形、略楕円形、円形、略円形、三角形、略三角形、五角形、略五角形、星形、アルファベットおよび数字からなる群から選択される少なくとも一種とし、さらに、被着体貼付用部分と、識別用部分とを同一の剥離シート上に平面配置することから、被着体貼付用部分の平面形状における面積を４００ｍｍ2以下の値とした、被着体貼付用部分の平面形状からでは識別が困難な複数種の粘着シートを、より明確に識別することができる粘着シートを得ることができる。
【００１２】
また、本発明の粘着シートの製造方法を実施するにあたり、工程（ＩＩ）において、成形加工として、被着体貼付用部分の平面形状に対応した第１の加工手段と、識別用部分の平面形状に対応した第２の加工手段と、を有する打ち抜き加工機を用いて、打ち抜き加工をすることが好ましい。
このように実施することにより、識別用部分を、被着体貼付用部分と同時に成形加工することができる。
【図面の簡単な説明】
【００１３】
【図１】図１（ａ）〜（ｂ）は、本発明の粘着シートを説明するために供する図である。
【図２】図２（ａ）〜（ｃ）は、本発明の粘着シートを説明するために供する別の図である。
【図３】図３（ａ）〜（ｂ）は、本発明の粘着シートを説明するために供するさらに別の図である。
【図４】図４（ａ）〜（ｅ）は、本発明の粘着シートの製造方法を説明するために供する図である。
【発明を実施するための形態】
【００１４】
［第１の実施形態］
本発明の第１の実施形態は、図１（ａ）〜（ｂ）に示すように、少なくとも基材６と、
粘着剤層４、と、剥離シート２と、を積層してなる粘着シート２０であって、基材６および粘着剤層４を含んで構成される粘着性積層体１０が、剥離シート２の上において、被着体に貼付されるための被着体貼付用部分１２と、粘着性積層体１０の特性を識別するための識別用部分１４と、に成形加工されてなるとともに、被着体貼付用部分１２の平面形状における面積を４００ｍｍ2以下の値とし、識別用部分１４の平面形状を、長方形、略長方形、楕円形、略楕円形、円形、略円形、三角形、略三角形、五角形、略五角形、星形、アルファベットおよび数字からなる群から選択される少なくとも一種とし、被着体貼付用部分１２と、識別用部分１４とが、同一の剥離シート２の上に平面配置されてなることを特徴とする粘着シート２０である。
なお、図１（ａ）は、本発明の粘着シートの平面図であり、図１（ｂ）は、図１（ａ）
における線分Ａ−Ａを通る平面にて粘着シートを切断した場合の断面図である。
また、図１（ｂ）においては、粘着性積層体１０における被着体貼付用部分１２および物性測定用部分１４以外の部分は剥離除去した状態を示している（後述する図２（ｂ）においても同様）。
【００１５】
１．剥離シート
本発明における剥離シートは、特に制限されるものではなく、例えば、ポリエチレンテレフタレート、ポリブチレンテレフタレート、ポリエチレンナフタレート等のポリエステルフィルムや、ポリプロピレン、ポリエチレン等のポリオレフィンフィルム、または紙系の剥離材に対し、例えば、シリコーン系やゴム系の剥離剤を塗布して剥離層を設けたものが挙げられる。
また、かかる剥離シートの膜厚は、通常２０〜１５０μｍの範囲内の値とすることが好ましく、２５〜７５μｍの範囲内の値とすることがより好ましい。
【００１６】
２．粘着性積層体
本発明において、粘着性積層体とは、基材および粘着剤層を含む積層体であり、粘着シートにおける剥離シート以外の部分を意味する。
以下、粘着性積層体の構成要素である基材および粘着剤層について説明する。
【００１７】
（１）基材
本発明における基材は、特に制限されるものではなく、従来、粘着シートの基材として使用されているプラスチックフィルム、紙基材、不織布等の中から適宜選択して用いることができる。
例えば、プラスチックフィルムであれば、ポリエチレンテレフタレート、ポリブチレンテレフタレート、ポリエチレンナフタレート等のポリエステルフィルム、ポリエチレンフィルム、ポリプロピレンフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルホンフィルム、ポリエーテルエーテルケトンフィルム、ポリエーテルスルホンフィルム、ポリフェニレンスルホンフィルム、ポリエーテルイミドフィルム、ポリイミドフィルム、フッ素樹脂フィルム、ポリアミドフィルム、アクリル樹脂フィルム、ノルボルネン系樹脂フィルム、シクロオレフィン樹脂フィルム等を挙げることができる。
また、基材の膜厚としては、通常１０〜３００μｍの範囲内の値とすることが好ましく、２０〜１５０μｍの範囲内の値とすることがより好ましい。
【００１８】
（２）粘着剤層
本発明における粘着剤層は、特に制限されるものではなく、従来公知のアクリル系、シリコーン系、ウレタン系、ゴム系等の粘着剤を用いることができる。
また、粘着剤のタイプとして、活性エネルギー線硬化型やホットメルトタイプの接着剤を用いることもできる。
また、かかる粘着剤層の膜厚は、通常１〜２００μｍの範囲内の値とすることが好ましく、５〜５０μｍの範囲内の値とすることがより好ましい。
【００１９】
（３）その他の層
また、粘着性積層体には、基材および粘着剤層に加えて、中間層や易接着層等のその他の層を積層してもよい。
【００２０】
（４）被着体貼付用部分
本発明における粘着性積層体は、被着体に貼付されるための被着体貼付用部分を有することを特徴とする。
かかる被着体貼付用部分の態様は、特に制限されるものではないが、以下においては、実際に特性の異なる粘着性積層体を有する複数の粘着シートが混同してしまった場合に、粘着力等の特性を測定して識別しようとしても、被着体貼付用部分を用いての特性測定が特に困難になるような態様、すなわち、粘着シートを識別するに当たり、後述する識別用部分が特に必要となるような態様を例示して説明する。
【００２１】
（４）−１  面積
まず、被着体貼付用部分を用いての特性測定が特に困難になる第１の態様として、図１（ａ）に示すように、被着体貼付用部分１２の形状における面積が４００ｍｍ2以下の値である態様が挙げられる。
この理由は、被着体貼付用部分の平面形状における面積が４００ｍｍ2以下の値となると、面積が不十分になって、被着体貼付用部分を直接試料とした場合であっても、あるいは加工して試料を作成した場合であっても、被着体貼付用部分を用いての特性測定が困難になるためである。
また、被着体貼付用部分の平面形状は、図１（ａ）においては円形となっているが、特に制限されるものではなく、用途に合わせて、例えば楕円形や長方形のように、どのような形状であってもよい。
なお、本発明における「平面形状」とは、図１（ａ）に示すように、粘着シートを基材側の上方から眺めた場合の形状を意味する。
【００２２】
（４）−２  非接触部
また、被着体貼付用部分を用いての特性測定が特に困難になる第２の態様として、図２（ａ）〜（ｃ）に示すように、被着体貼付用部分１２の粘着剤層４が、部分的に被着体１００と接触しない非接触部５０を有する態様が挙げられる。
この理由は、被着体貼付用部分が非接触部を有する場合、測定結果に非接触部の特性が影響してしまうことから、被着体貼付用部分を用いての特性測定が困難になるためである。
なお、このような非接触部を有する被着体貼付用部分は、例えば、デジタルカメラのレンズユニットのような精密部品を組み立てる際に、レンズ部分に対して直接的に粘着剤層が接触しないように保護フィルムを貼付する場合等に用いられる。
したがって、非接触部の平面形状、立体形状、配置および個数等は、特に制限されるものではないが、大まかな例としては、図２（ａ）〜（ｃ）に示すような態様が挙げられる。
また、非接触部は、例えば、被着体貼付用部分を打ち抜き加工するのと同時に、上側型枠の凹部および下側型枠の凸部によるプレス加工にて形成することができる。
なお、図２（ａ）は、本発明の粘着シートの平面図であり、図２（ｂ）は、図２（ａ）における線分Ｂ−Ｂを通る平面にて粘着シートを切断した場合の断面図であり、図２（ｃ）は、図２（ｂ）に示す粘着シートにおける被着体貼付用部分を被着体に対して貼付した様子を示す図である。
【００２３】
（５）識別用部分
本発明における粘着性積層体は、粘着性積層体の特性を識別するための識別用部分を有することを特徴とする。
この理由は、被着体貼付用部分の平面形状が同一または類似であるが、粘着力等の特性が異なる場合のように、被着体貼付用部分の平面形状からでは識別が困難な複数種の粘着シートを、明確に識別することができるためである。
以下、識別用部分について、具体的に説明する。
【００２４】
（５）−１  識別対象特性
識別用部分により識別される対象となる特性としては、特に制限されるものではないが、例えば、粘着層におけるゲル分率、貯蔵弾性率や、基材もしくは粘着性積層体全体における粘着力、保持力、全光線透過率、ヘイズ値等が挙げられる。
【００２５】
（５）−２  形状
識別用部分の平面形状を、長方形、図１（ａ）、図２（ａ）に示すような略長方形、楕円形、略楕円形、円形、略円形、三角形、略三角形、五角形、略五角形、星形、アルファベットおよび数字からなる群から選択される少なくとも一種とすることが好ましい。
この理由は、識別用部分の平面形状をこれらの形状とすることにより、識別用部分を用いて、より明確に識別することができるためである。
また、識別用部分の平面形状をこれらの形状とすることにより、被着体貼付用部分により粘着性積層体における粘着力等の特性を測定することが困難な場合であっても、識別用部分を用いて、容易かつ正確に特性を測定することができる。
【００２６】
また、識別用部分の平面形状を、図３（ａ）に示す数字や、図３（ｂ）に示すアルファベットのように、文字情報とすることも好ましい。
この理由は、このような文字情報であれば、より明確に粘着性積層体の特性を識別することができるためである。
なお、図３（ａ）〜（ｂ）は、本発明の粘着シートの平面図である。
【００２７】
（５）−３  大きさ
また、識別用部分の平面形状における最大径を２０〜３００ｍｍの範囲内の値とすることが好ましい。
この理由は、かかる最大径が２０ｍｍ未満の値となると、識別用部分の平面形状を視認しにくくなって、識別性が低下する場合があるためである。一方、かかる最大値が３００ｍｍを超えた値となると、同一の剥離シート上に平面配置できる被着体貼付用部分の面積が過度に制限される場合があるためである。
なお、本発明における最大径とは、識別用部分の平面形状に外接する円を描いた場合における、当該外接円の直径を意味する。
【００２８】
また、識別用部分の平面形状を長方形、略長方形、楕円形または略楕円形とする場合には、粘着性積層体の特性を容易かつ正確に測定する観点も加味して、その長軸方向の長さを２０〜３００ｍｍの範囲内の値とすることが好ましく、３０〜２５０ｍｍの範囲内の値とすることがより好ましく、４５〜２００ｍｍの範囲内の値とすることがさらに好ましい。
また、その短軸方向の長さ（幅）を１〜３０ｍｍの範囲内の値とすることが好ましく、１．５〜２８ｍｍの範囲内の値とすることがより好ましく、２〜２５ｍｍの範囲内の値とすることがさらに好ましい。
【００２９】
（５）−４  配置
また、本発明においては、図１（ａ）、図２（ａ）、図３（ａ）〜（ｂ）に示すように、被着体貼付用部分１２と、識別用部分１４とが、同一の剥離シート２の上に平面配置されていることを特徴とする。
この理由は、このように構成することにより、被着体貼付用部分が有する特性を、同一の剥離シート上に平面配置された識別用部分が表すことになることから、他の粘着シートとの混同が生じることを確実に防止することができるためである。
【００３０】
また、被着体貼付用部分の平面配置の態様は、基本的に識別用部分を有さない従来の粘着シートの場合と同様に、図１（ａ）、図２（ａ）、図３（ａ）〜（ｂ）に示すように、使用時のハンドリング性を低下させない範囲で、成形面積が最大となるように平面配置することが好ましい。
一方、識別用部分の平面配置の態様は、例えば、図１（ａ）、図２（ａ）に示すように、粘着シートにおけるいずれかの辺に沿った位置、あるいは、図３（ａ）〜（ｂ）に示すように２辺に囲まれた角部付近の位置であって、被着体貼付用部分が平面配置されている部分の外側に平面配置することが好ましい。
この理由は、このように平面配置することにより、被着体貼付用部分の平面配置を阻害することを抑制することができるとともに、被着体貼付用部分を使用する際のハンドリング性を低下させることについても抑制することができるためである。
但し、被着体貼付用部分の平面配置を阻害せず、かつ、そのハンドリング性を損なわない範囲であれば、被着体貼付用部分が平面配置されている部分の中を通過するように平面配置してもよい。
【００３１】
［第２の実施形態］
本発明の第２の実施形態は、第１の実施形態としての粘着シートの製造方法であって、下記工程（Ｉ）〜（ＩＩ）を含むことを特徴とする粘着シートの製造方法である。
（Ｉ）少なくとも基材と、粘着剤層と、剥離シートと、を積層してなる成形加工前の粘着シートを準備する工程
（ＩＩ）基材および粘着剤層を含んで構成される粘着性積層体を、剥離シート上において、被着体に貼付されるための被着体貼付用部分と、粘着性積層体の物性を識別するための識別用部分と、に成形加工し、被着体貼付用部分と、識別用部分とが、同一の剥離シート上に平面配置されてなる粘着シートを得る工程
以下、本発明の第２の実施形態を、第１の実施形態と異なる点を中心に、図面を参照しつつ、具体的に説明する。
【００３２】
１．工程（Ｉ）：粘着シートの準備工程
工程（Ｉ）は、少なくとも基材と、粘着剤層と、剥離シートと、を積層してなる成形加工前の粘着シートを準備する工程である。
かかる工程は、従来公知の方法により行うことができる。
より具体的には、アクリル系の非活性エネルギー線硬化性の粘着剤組成物を用いる場合を例に挙げて説明すると、粘着剤組成物を剥離シートに対して塗布・乾燥させて粘着剤層を形成した後、得られた粘着剤層に対して基材を積層することが好ましい。
なお、成形加工前の粘着シートは、帯状の連続体として製造しておき、必要であれば、後の成形加工工程後に、所定間隔ごとに枚葉に裁断することができる。
【００３３】
２．工程（ＩＩ）：成形加工工程
また、工程（ＩＩ）は、図４（ａ）〜（ｅ）に示すように、基材６および粘着剤層４を含んで構成される粘着性積層体１０を、剥離シート２の上において、被着体貼付用部分１２と、識別用部分（図示せず）と、に成形加工し、被着体貼付用部分１２と、識別用部分（図示せず）とが、同一の剥離シート２の上に平面配置されてなる粘着シート２０を得る工程である。
かかる成形加工は、従来公知の方法により行うことができ、例えば、図４（ａ）〜（ｂ）に示すような打ち抜き加工や、レーザー加工等により成形することができる。
なお、図４（ａ）〜（ｂ）は、打ち抜き加工工程を示す側方断面図である。
【００３４】
また、成形加工として、図４（ａ）〜（ｂ）に示すように、被着体貼付用部分１２の平面形状に対応した第１の加工手段２１４と、識別用部分（図示せず）の平面形状に対応した第２の加工手段（図示せず）と、を有する打ち抜き加工機２００を用いて、打ち抜き加工をすることが好ましい。
この理由は、このような打ち抜き加工機を用いた打ち抜き加工であれば、識別用部分を、被着体貼付用部分と同時に成形加工することができるためである。
なお、図４（ａ）〜（ｂ）に示す打ち抜き加工では、図２（ａ）〜（ｃ）に示すような被着体貼付用部分１２の粘着剤層４が、部分的に被着体１００と接触しない非接触部５０を有する態様の粘着シート２０を製造している。
以下、図４（ａ）〜（ｂ）に示す打ち抜き加工について、具体的に説明する。
【００３５】
すなわち、図４（ａ）に示すように、成形加工前の粘着シート２０´は、打ち抜き加工機２００の上側型枠２１０および下側型枠２２０が離反している状態で、一定の移送ピッチで移送方向Ｅに移送された後、図４（ｂ）に示すように、その移送停止期間中に上側型枠２１０および下側型枠２２０により加圧されて打ち抜き加工される。
【００３６】
より具体的には、図４（ｃ）〜（ｅ）に示すように、基材６および粘着剤層４を含んで構成される積層体である粘着性積層体１０に対し、上側型枠２１０における第１の加工手段２１４により被着体貼付用部分１２の平面形状に対応した切り込みが形成されると同時に、上側型枠２１０における第２の加工手段（図示せず）により識別用部分１４の平面形状に対応した切り込みが形成される。
なお、図４（ｃ）は、図４（ａ）〜（ｂ）に示す打ち抜き加工工程により得られる粘着シートの平面図であり、図４（ｄ）は、図４（ｃ）における線分Ｘ−Ｘを通る平面にて粘着シートを切断した場合の断面図であり、図４（ｅ）は、図４（ｃ）における線分Ｙ−Ｙを通る平面にて粘着シートを切断した場合の断面図である。
【００３７】
また、これと同時に、上側型枠２１０の凹部２１２と、下側型枠２２０の凸部２２２により、成形加工前の粘着シート２０´の被着体貼付用部分１２に該当する箇所の一部に対してドーム形状が形成され、これにより被着体貼付用部分１２に非接触部５０が形成される。
その後、上側型枠２１０および下側型枠２２０が離反すると、粘着シート２０および加工前の粘着シート２０´の連続体は、一定の移送ピッチ分だけ移送方向Ｅに移送され、以上の工程が繰り返される。
そして、以上の工程の繰り返しにより得られる粘着シート２０の連続体を枚葉に裁断することで、図４（ｃ）〜（ｅ）に示す最終的な粘着シート２０を得ることができる。
なお、図４（ｃ）〜（ｅ）に示す最終的な粘着シート２０では、粘着性積層体１０における被着体貼付用部分１２および識別用部分１４以外の部分は剥離除去してある。
このようにすることにより、粘着シートの使用時に、被着体貼付用部分や識別用部分を剥離しやすくすることができるためである。
かかる剥離除去工程は、打ち抜き加工から裁断または巻き取り工程までのどの時点で実施してもよく、場合によっては実施を省略してもよい。
【００３８】
また、一例として図４（ａ）〜（ｂ）に示す打ち抜き加工工程を具体的に説明したが、被着体貼付用部分および識別用部分を成形するための打ち抜き加工、非接触部を形成するための凹凸加工、および枚葉に裁断する裁断加工の順番は特に制限されない。
したがって、例えば、成形加工前の粘着シートを枚葉に裁断した後、凹凸加工により非接触部を形成し、最後に打ち抜き加工をしてもよい。
または、成形加工前の粘着シートを打ち抜き加工した後、枚葉に裁断し、最後に凹凸加工により非接触部を形成してもよい。
あるいは、成形加工前の粘着シートを打ち抜き加工した後、凹凸加工により非接触部を形成すると同時に枚葉に裁断してもよい。
【産業上の利用可能性】
【００３９】
以上、詳述したように、本発明の粘着シートによれば、基材および粘着剤層を含んで構成される粘着性積層体を、剥離シート上において、被着体に貼付されるための被着体貼付用部分と、粘着性積層体の特性を識別するための識別用部分と、に成形加工し、かつ、被着体貼付用部分と、識別用部分とを同一の剥離シート上に平面配置することにより、粘着性積層体（被着体貼付用部分）の形態にかかわらず、粘着性積層体の特性を明確に識別することができるようになった。
したがって、本発明の粘着シート等は、種々のラベルや保護フィルム等を被着体に貼付する作業現場において、作業者が特性の異なるラベルや保護フィルム等を混同することを防止して、製品の製造効率の向上に著しく寄与することが期待される。
【符号の説明】
【００４０】
２：剥離シート、４：粘着剤層、６：基材、１０：粘着性積層体、１２：被着体貼付用部分、１４：識別用部分、２０：粘着シート、２０´：成形加工前の粘着シート、５０：非接触部、１００：被着体、２００：打ち抜き加工機、２１０：上側型枠、２１２：凹部、２１４：第１の加工手段、２２０：下側型枠、２２２：凸部
【図１】
0006521962.tif 000002
【図２】
0006521962.tif 000003
【図３】
0006521962.tif 000004
【図４】
0006521962.tif 000005